(57)【特許請求の範囲】
【請求項１】
画像処理に関する機能を有する少なくとも１以上の画像処理手段と、
デバイスの動作を制御すると共に、前記デバイスの動作を制御する制御信号を前記デバイスに出力し、かつスリープモード中は、前記デバイスからの通信が不能になる通信手段、及び前記デバイスの動作に関する指示を指示部から受付ける受付手段を備えたデバイス制御手段と、
予め定められた条件に基づいて、前記画像処理手段及び前記デバイス制御手段への通電を前記スリープモードに切り替えると共に、前記デバイス制御手段が前記スリープモード中に前記デバイスの動作を制御する場合、及び前記スリープモード中に前記受付手段が指示を受付けた場合は、前記画像処理手段のスリープモードを解除せずに前記通信手段のスリープモードを解除して前記通信手段に対して通電するよう制御する通電制御手段と、
を備えた画像処理装置。
【請求項２】
前記デバイス制御手段を含み、かつ自装置全体の機能を制御する全体制御手段を備え、前記通電制御手段は、前記予め定められた条件に基づいて、前記指示部への通電をスリープモードに切り替えると共に、前記デバイス制御手段が前記スリープモード中に前記デバイスの動作を制御する場合、及び前記スリープモード中に前記受付手段が指示を受付けた場合は、前記全体制御手段に対して通電するよう制御する、請求項１に記載の画像処理装置。
【請求項３】
前記指示部は、前記デバイスの動作に関して指示するための指示画面を備えており、前記通電制御手段は、前記通信手段及び前記指示部のスリープモードの解除中は、予め定められた条件に応じて、前記指示画面の表示を暗くするよう前記指示部への通電を制御する、請求項１または請求項２に記載の画像処理装置。
【請求項４】
前記デバイス制御手段は、予め定められた周期で、前記デバイスの動作状態を示す動作情報を取得し、前記動作情報を出力する、請求項１から請求項３のいずれか１項に記載の画像処理装置。
【請求項５】
前記指示部は、前記デバイスの動作に関して指示するための指示画面を備えており、前記デバイス制御手段は、前記指示画面の表示期間に、前記動作情報を取得して前記指示部に対して出力する、請求項４に記載の画像処理装置。
【請求項６】
前記デバイス制御手段は、前記デバイス制御手段のスリープモード中は、前記動作情報の取得を行わない、請求項４または請求項５に記載の画像処理装置。
【請求項７】
前記デバイスは、動作時間の累積である累積動作時間を計測し、前記デバイス制御手段は、予め定められた条件に基づいたタイミングで、前記デバイスから前記累積動作時間を取得する、請求項１から請求項６のいずれか１項に記載の画像処理装置。
【請求項８】
前記デバイスは、動作時間の累積である累積動作時間が予め定められた閾値を越えたか否かを判断し、前記デバイス制御手段は、予め定められた条件に基づいたタイミングで、前記デバイスから前記累積動作時間が前記予め定められた閾値を越えたか否かに関する情報を取得する、請求項１から請求項７のいずれか１項に記載の画像処理装置。
【請求項９】
前記通電制御手段は、前記通信手段のみスリープモードを解除するよう制御する、請求項１から請求項８のいずれか１項に記載の画像処理装置。
【請求項１０】
前記指示部は外部装置として設けられている、請求項１から請求項９のいずれか１項に記載の画像処理装置。
【請求項１１】
前記デバイス制御手段が前記指示部を備える、請求項１から請求項１０のいずれか１項に記載の画像処理装置。
【請求項１２】
前記画像処理手段は、記録媒体上に画像を形成する機能を有する画像形成手段と、記録媒体上の画像を読取る機能を有する読取手段と、を備えた、請求項１から請求項１１のいずれか１項に記載の画像処理装置。
【請求項１３】
画像処理装置のデバイス制御手段により動作が制御されると共に、動作を制御する制御信号を前記画像処理装置から受付け、かつ前記画像処理装置のスリープモード中は、前記画像処理装置への通信が不能になる通信手段と、
動作時間の累積である累積動作時間を計測する計測手段と、
を備えた、デバイス。
【請求項１４】
前記計測手段は、計測した前記累積動作時間が予め定められた閾値を越えたか否かを判断し、前記閾値を越えた場合は報知部により報知する、請求項１３に記載のデバイス。
【請求項１５】
前記請求項１から前記請求項１２のいずれか１項に記載の画像処理装置と、
前記画像処理装置により動作と通信を行い、前記画像処理装置により動作が制御される、前記請求項１３または前記請求項１４に記載のデバイスと、
を備えた画像処理システム。
【請求項１６】
前記請求項１から前記請求項１２のいずれか１項に記載の画像処理装置のデバイス制御手段及び通電制御手段としてコンピュータを機能させるための画像処理プログラム。
【請求項１７】
前記請求項１３または前記請求項１４に記載のデバイスの計測手段としてコンピュータを機能させるためのデバイスプログラム。
【発明の詳細な説明】
【技術分野】
【０００１】
本発明は、画像処理装置、デバイス、画像処理システム、画像処理プログラム、及びデバイスプログラムに関する。
【背景技術】
【０００２】
特許文献１には、画像形成動作を実行する画像形成動作部と、空気清浄動作を実行する空気清浄動作部と、前記画像形成動作部および前記空気清浄動作部へ電力を供給する電源と、制御部とを備えた画像形成システムであって、前記制御部は、前記電源から前記画像形成動作部への電力供給をオフする第１電力供給オフ制御と、前記電源から前記空気清浄動作部への電力供給をオフする第２電力供給オフ制御とを連動させる連動オフ制御機能を有し、該連動オフ制御機能は、前記第１電力供給オフ制御を実行する時点よりも予め設定された設定時間後に、前記第２電力供給オフ制御を実行する構成とされていることを特徴とする画像形成システムが記載されている。
【０００３】
特許文献２には、画像形成動作を実行する画像形成動作部と、空気清浄動作を実行する空気清浄動作部と、前記画像形成動作部および前記空気清浄動作部へ電力を供給する電源と、制御部とを備えた画像形成システムであって、前記制御部は、前記電源から前記画像形成動作部への電力供給をオンする第１電力供給オン制御と、前記電源から前記空気清浄動作部への電力供給をオンする第２電力供給オン制御とを連動させる連動オン制御機能、前記電源から前記画像形成動作部への電力供給をオフする第１電力供給オフ制御と、前記電源から前記空気清浄動作部への電力供給をオフする第２電力供給オフ制御とを連動させる連動オフ制御機能、または、前記連動オン制御機能と前記連動オフ制御機能の双方を有する構成とされていることを特徴とする画像形成システムが記載されている。
【０００４】
特許文献３には、画像形成動作を実行する画像形成動作部と、空気清浄動作を実行する空気清浄動作部と、前記画像形成動作部および前記空気清浄動作部へ電力を供給する電源と、制御部とを備えた画像形成システムであって、前記制御部は、前記電源から前記画像形成動作部への電力供給をオンする第１電力供給オン制御と、前記電源から前記空気清浄動作部への電力供給をオンする第２電力供給オン制御とを連動させる連動オン制御機能を有し、該連動オン制御機能は、前記第１電力供給オン制御を実行する時点よりも予め設定された設定時間前に、前記第２電力供給オン制御を実行する構成とされていることを特徴とする画像形成システムが記載されている。
【先行技術文献】
【特許文献】
【０００５】
【特許文献１】特開２０１１−０２８０００号公報
【特許文献２】特開２０１１−０２８００１号公報
【特許文献３】特開２０１１−０３３７８８号公報
【発明の概要】
【発明が解決しようとする課題】
【０００６】
本発明は、デバイスからの通信が不能なスリープモード中に、デバイスの動作の制御を行う場合の消費電力を抑制することができる、画像処理装置、デバイス、画像処理システム、画像処理プログラム、及びデバイスプログラムを提供することを目的とする。
【課題を解決するための手段】
【０００７】
上記目的を達成するために、請求項１に記載の画像処理装置は、画像処理に関する機能を有する少なくとも１以上の画像処理手段と、デバイスの動作を制御すると共に、前記デバイスの動作を制御する制御信号を前記デバイスに出力し、かつスリープモード中は、前記デバイスからの通信が不能になる通信手段、及び前記デバイスの動作に関する指示を指示部から受付ける受付手段を備えたデバイス制御手段と、予め定められた条件に基づいて、前記画像処理手段及び前記デバイス制御手段への通電を前記スリープモードに切り替えると共に、前記デバイス制御手段が前記スリープモード中に前記デバイスの動作を制御する場合、及び前記スリープモード中に前記受付手段が指示を受付けた場合は、前記画像処理手段のスリープモードを解除せずに前記通信手段のスリープモードを解除して前記通信手段に対して通電するよう制御する通電制御手段と、を備える。
【０００８】
請求項２に記載の画像処理装置は、請求項１に記載の画像処理装置において、前記デバイス制御手段を含み、かつ自装置全体の機能を制御する全体制御手段を備え、前記通電制御手段は、前記予め定められた条件に基づいて、前記指示部への通電をスリープモードに切り替えると共に、前記デバイス制御手段が前記スリープモード中に前記デバイスの動作を制御する場合、及び前記スリープモード中に前記受付手段が指示を受付けた場合は、前記全体制御手段に対して通電するよう制御する。
【０００９】
請求項３に記載の画像処理装置は、請求項１または請求項２に記載の画像処理装置において、前記指示部は、前記デバイスの動作に関して指示するための指示画面を備えており、前記通電制御手段は、前記通信手段及び前記指示部のスリープモードの解除中は、予め定められた条件に応じて、前記指示画面の表示を暗くするよう前記指示部への通電を制御する。
【００１０】
請求項４に記載の画像処理装置は、請求項１から請求項３のいずれか１項に記載の画像処理装置において、前記デバイス制御手段は、予め定められた周期で、前記デバイスの動作状態を示す動作情報を取得し、前記動作情報を出力する。
【００１１】
請求項５に記載の画像処理装置は、請求項４に記載の画像処理装置において、前記指示部は、前記デバイスの動作に関して指示するための指示画面を備えており、前記デバイス制御手段は、前記指示画面の表示期間に、前記動作情報を取得して前記指示部に対して出力する。
【００１２】
請求項６に記載の画像処理装置は、請求項４または請求項５に記載の画像処理装置において、前記デバイス制御手段は、前記デバイス制御手段のスリープモード中は、前記動作情報の取得を行わない。
【００１３】
請求項７に記載の画像処理装置は、請求項１から請求項６のいずれか１項に記載の画像処理装置において、前記デバイスは、動作時間の累積である累積動作時間を計測し、前記デバイス制御手段は、予め定められた条件に基づいたタイミングで、前記デバイスから前記累積動作時間を取得する。
【００１４】
請求項８に記載の画像処理装置は、請求項１から請求項７のいずれか１項に記載の画像処理装置において、前記デバイスは、動作時間の累積である累積動作時間が予め定められた閾値を越えたか否かを判断し、前記デバイス制御手段は、予め定められた条件に基づいたタイミングで、前記デバイスから前記累積動作時間が前記予め定められた閾値を越えたか否かに関する情報を取得する。
【００１５】
請求項９に記載の画像処理装置は、請求項１から請求項８のいずれか１項に記載の画像処理装置において、前記通電制御手段は、前記通信手段のみスリープモードを解除するよう制御する。
【００１６】
請求項１０に記載の画像処理装置は、請求項１から請求項９のいずれか１項に記載の画像処理装置において、前記指示部は外部装置として設けられている。
【００１７】
請求項１１に記載の画像処理装置は、請求項１から請求項１０のいずれか１項に記載の画像処理装置おいて、前記デバイス制御手段が前記指示部を備える。
【００１８】
請求項１２に記載の画像処理装置は、請求項１から請求項１１のいずれか１項に記載の画像処理装置において、前記画像処理手段は、記録媒体上に画像を形成する機能を有する画像形成手段と、記録媒体上の画像を読取る機能を有する読取手段と、を備えた。
【００１９】
請求項１３に記載のデバイスは、画像処理装置のデバイス制御手段により動作が制御されると共に、動作を制御する制御信号を前記画像処理装置から受付け、かつ前記画像処理装置のスリープモード中は、前記画像処理装置への通信が不能になる通信手段と、動作時間の累積である累積動作時間を計測する計測手段と、を備えた。
【００２０】
請求項１４に記載のデバイスは、請求項１３に記載のデバイスにおいて、前記計測手段は、計測した前記累積動作時間が予め定められた閾値を越えたか否かを判断し、前記閾値を越えた場合は報知部により報知する。
【００２１】
請求項１５に記載の画像処理システムは、前記請求項１から前記請求項１２のいずれか１項に記載の画像処理装置と、前記画像処理装置により動作と通信を行い、前記画像処理装置により動作が制御される、前記請求項１３または前記請求項１４に記載のデバイスと、を備えた。
【００２２】
請求項１６に記載の画像処理プログラムは、前記請求項１から前記請求項１２のいずれか１項に記載の画像処理装置のデバイス制御手段及び通電制御手段としてコンピュータを機能させるためのものである。
【００２３】
請求項１７に記載のデバイスプログラムは、前記請求項１３または前記請求項１４に記載のデバイスの計測手段としてコンピュータを機能させるためのものである。
【発明の効果】
【００２４】
請求項１、請求項１３、請求項１５、請求項１６、及び請求項１７に記載の発明によれば、本構成を有しない場合と比較して、デバイスからの通信が不能なスリープモード中に、デバイスの動作の制御を行う場合の消費電力を抑制することができる。
【００２５】
請求項４に記載の発明によれば、本構成を有しない場合と比較して、デバイスの動作状態を適切に報知することができる。
【００２６】
請求項２、請求項３、請求項５、請求項６、請求項９、及び請求項１２に記載の発明によれば、本構成を有しない場合と比較して、消費電力を抑制することができる。
【００２７】
請求項７、請求項８、及び請求項１４に記載の発明によれば、画像処理装置側でデバイスの累積動作時間を計測する場合に比べて、より適切に累積稼働時間に関する情報を取得することができる。
【００２８】
請求項１０に記載の発明によれば、本構成を有しない場合と比較して、画像処理装置外部からの指示を受付けることができる。
【００２９】
請求項１１に記載の発明によれば、本構成を有しない場合と比較して、画像処理装置内部からの指示を受付けることができる。
【図面の簡単な説明】
【００３０】
【図１】本実施の形態に係る画像処理装置の一例の全体の概略構成を示す概略構成図である。
【図２】本実施の形態に係る画像処理装置に備えられた各装置の概略構成を示すブロック図である。
【図３】本実施の形態に係る制御装置及び空気清浄機の概略構成の一例を示す機能ブロック図である。
【図４】本実施の形態の制御装置の制御部のハードウエア構成の一例を示す概略構成図である。
【図５】本実施の形態のパーソナルコンピュータにおいて、空気清浄機の動作状態が表示されるネットワーク操作画面の具体的一例を示した説明図である。
【図６】本実施の形態の画像処理装置において、空気清浄機の稼働を停止させる場合に実行される制御処理の流れの一例のフローチャートを示す。
【図７】本実施の形態の画像処理装置において、スリープモード中にパーソナルコンピュータのネットワーク操作画面から空気清浄機の動作を制御する場合に実行される制御処理の流れの一例のフローチャートを示す。
【図８】本実施の形態の画像処理装置において、スリープモード中にパーソナルコンピュータのネットワーク操作画面から空気清浄機の動作を制御する場合に実行される制御処理の流れの一例のフローチャートを示す。
【図９】本実施の形態の画像処理装置において、パーソナルコンピュータでネットワーク操作画面が閉じられた場合に実行される制御処理の流れの一例を示すフローチャートである。
【図１０】本実施の形態の空気清浄機において、空気清浄機の各種フィルタの交換をユーザに対して促す場合に実行される制御処理の流れの一例を示すフローチャートである。
【図１１】本実施の形態の画像処理装置において、空気清浄機のフィルタの交換に対して、画像処理装置１０で実行される制御処理の流れの一例を示すフローチャートである。
【図１２】本実施の形態の空気清浄機において、フィルタを交換する際に実行される制御処理の流れの一例を示すフローチャートである。
【発明を実施するための形態】
【００３１】
以下、図面を参照して本発明の実施の形態の一例を詳細に説明する。本実施の形態では、具体的一例として、本発明の画像処理装置を原稿読取装置や画像形成装置等の画像処理機能を備えた複合機（詳細後述）、及び本発明のデバイスを空気清浄機（詳細後述）に適用し、画像処理装置（複合機）及び空気清浄機を備えた画像処理システム１に適用した場合について詳細に説明する。
【００３２】
まず、図１及び図２を参照して、本実施の形態の複合機の概略について説明する。図１に、本実施の形態の画像処理装置の一例の全体の概略を示す。図１（Ａ）は、画像処理装置１０の概略構成図を示しており、（Ｂ）は、画像処理装置１０の外観の概略斜視図を示している。図２は、本実施の形態の画像処理装置１０に備えられた各装置の概略構成を示すブロック図である。
【００３３】
図１に示す本実施の形態の画像処理装置１０は、原稿読取機能や複写機能やプリント機能等を複合的に備えた多機能装置であり、原稿を読み取るスキャナ等からなる原稿読取装置１２、画像形成装置１４、及び画像処理装置１０全体を制御するための制御装置１６で構成されている。また、本実施の形態の画像処理装置１０は、用紙Ｐが収納される用紙供給部３２を備えている。さらに、本実施の形態の画像処理装置１０は、画像処理装置１０の状態等をユーザに表示（通知）する機能を有すると共に、ユーザからの各種指示を受付けるための機能を有するいわゆるユーザインターフェイスとして、操作パネル１９を備えている。なお、本実施の形態では、空気清浄機４０は、画像処理装置１０と一体的に構成されている。
【００３４】
本実施の形態の画像処理装置１０の画像形成装置１４を含む各構成部材は、基台３６上に切り離しできるように積載された筐体３８の内部に収容されている。画像処理装置１０の原稿読取装置１２の下方であって筐体３８の上部の面には、用紙排出部３９が設けられており、用紙排出部３９には、画像形成装置１４により画像が形成された用紙Ｐが排出されるように構成されている。
【００３５】
画像処理装置１０には、一定の間隔をおいて並列的に配置される各色毎（本実施の形態では４つ）の画像形成ユニット２０（２０Ｙ、２０Ｍ、２０Ｃ、２０Ｋ）が備えられている、各画像形成ユニット２０は、静電潜像を形成してトナー像を保持する感光体２２を備えており、いわゆる電子写真方式によってトナー像を中間転写体２４上に形成する。なお、画像形成ユニット２０Ｙ、２０Ｍ、２０Ｃ、２０Ｋは、それぞれイエロー（Ｙ）、マゼンタ（Ｍ）、シアン（Ｃ）、黒（Ｋ）のトナー像を形成するため、それぞれ、現像装置に形成するトナー像の色に応じたトナーを収納する他は、略同一の構成となっている。以下、各々を区別せずに総称する場合は、「画像形成ユニット２０」といい、区別する場合は、「Ｙ」、「Ｍ」、「Ｃ」、「Ｋ」の符号を付していう。
【００３６】
また、画像形成装置１４は、中間転写体２４、一次転写部２６、二次転写部２８、及び定着装置３０を備えている。一次転写部２６は、画像形成ユニット２０にて形成された各色トナー像を中間転写体２４に順次転写（一次転写）する機能を有している。二次転写部２８は、中間転写体２４上に重ねて形成された各色トナー像を記録材（用紙Ｐ）に一括転写（二次転写）する機能を有している。また、定着装置３０は、二次転写された各色トナー像を用紙Ｐに定着させる機能を有している。
【００３７】
用紙供給部３２は、用紙Ｐを収容する用紙収容部３４を備えている。画像形成装置１４により画像が形成される際に、用紙供給部３２は、用紙収容部３４に収容されている用紙Ｐを二次転写部２８に供給する機能を有している。
【００３８】
また、本実施の形態の画像処理装置１０では、図２に示すように、電源制御部１８を備えている。電源制御部１８は、画像処理装置１０に備えられた各装置（原稿読取装置１２、画像形成装置１４、制御装置１６、及び操作パネル１９）または、各装置が有する機能部に供給する電力（通電）を制御する機能を有している。例えば、画像処理装置１０に主電源が投入されると、電源制御部１８は、各装置（原稿読取装置１２、画像形成装置１４、制御装置１６、及び操作パネル１９）に電力を供給（通電）する。また、画像処理装置１０では、主電源が投入されている最中に、各装置または全装置、もしくは、各装置が備える機能の一部または全機能への電力供給を停止させ、通常の稼働状態よりも消費電力を抑えるスリープモード（いわゆる節電モードや省エネモード）を備えている。なお、本実施の形態では、節電モード中は、画像処理装置１０と空気清浄機４０との間の通信が不能状態となり、空気清浄機４０からの通信を画像処理装置１０が受付けられない状態となる。
【００３９】
また、予め定められた条件（例えば、原稿読取装置１２及び画像形成装置１４が非稼働となってから所定の時間後等）に応じて、電源制御部１８は、予め定められた各装置（または各機能部）への電力の供給（通電）を停止させ節電モードに移行するように構成されている。なお、本実施の形態では具体的一例として、所定時間経過後に、節電モードに移行するように構成されている（詳細後述）。
【００４０】
画像処理装置１０による画像形成動作の一例について説明する。原稿読取装置１２で読み取った原稿に応じた画像を形成する場合は、原稿読取装置１２は、原稿を読み取った画像データを画像形成装置１４に出力する。また、パーソナルコンピュータ等の外部装置（図３参照）から入力された画像データに応じた画像を形成する場合は、外部装置から画像データ入力される。画像データは、予め定められた画像処理が施された後、各画像形成ユニット２０に送られる。各画像形成ユニット２０では、感光体２２が回転しながら、予め定められた電位に帯電された後、走査露光される。これにより、感光体２２上には、各色画像に関する静電潜像が形成される。感光体２２上に形成された静電潜像は、現像され、感光体２２上には各色トナー像が形成される。
【００４１】
各画像形成ユニット２０で形成された各色トナー像は、回転駆動される中間転写体２４上に一次転写部２６により順次静電吸引される。これにより、中間転写体２４上には、各色トナー像が重ね合わされたトナー像が形成される。さらに、中間転写体２４上の重ね合わされたトナー像は、中間転写体２４の移動に伴って二次転写部２８に搬送され、二次転写部２８が形成する転写電界の作用により、用紙供給部３２により二次転写部２８に供給された用紙Ｐ上に、一括して静電転写される。
【００４２】
その後、トナー像が静電転写された用紙Ｐは、中間転写体２４から剥離され、定着装置３０まで搬送される。定着装置３０に搬送された用紙Ｐ上のトナー像は、定着装置３０によって熱及び圧力による定着処理を受けて用紙Ｐ上に定着され、用紙排出部３９に排出される。
【００４３】
また、本実施の形態の空気清浄機４０は、空気（画像形成装置１４等から排出された空気等）を清浄（濾過）する機能を有しており、制御装置１６の指示により、空気を清浄（濾過）するための予め定められた動作を実行する。
【００４４】
空気清浄機４０は、空気を清浄（濾過）するための各種の空気清浄部材（図示省略）が備えられている。空気清浄部材としては特に限定されないが、例えば、空気から塵や埃等を除去するためのプレフィルタ、消臭フィルタ、及びウイルス等を除去するためのバイオフィルタ等の各種フィルタや、送風機（送風ファン）等が挙げられる。
【００４５】
図３に、本実施の形態の制御装置１６及び空気清浄機４０の構成の一例の機能ブロック図を示す。
【００４６】
本実施の形態の制御装置１６は、制御部５０、表示部５２、通信部５４、及びネット通信部５６を備えている。
【００４７】
制御部５０は、制御装置１６全体を制御する機能を有している。また、本実施の形態では、制御部５０は、通信部５４を介して、空気清浄機４０の動作（詳細後述）を制御する機能を有している。
【００４８】
図４に、本実施の形態の制御部５０のハードウエア構成の一例の概略構成図を示す。本実施の形態の制御部５０は、ＣＰＵ７０、ＲＡＭ７２、ＲＯＭ７４、ＮＶＭ（Ｎｏｎ  Ｖｏｌａｔｉｌｅ  Ｍｅｍｏｒｙ：不揮発性メモリ）７６、及びＩ／Ｆ部７８を備えて構成されている。ＣＰＵ７０、ＲＡＭ７２、ＲＯＭ７４、ＮＶＭ７６、及びＩ／Ｆ（インターフェース）部７８は、コントロールバスやデータバス等のバス７９を介して互いに情報等の授受されるように接続されている。
【００４９】
ＣＰＵ７０は、予め定められた制御プログラム７５に従ってデジタル演算処理を実行する機能を有する。ＲＡＭ７２は、ＣＰＵ７０で制御プログラム７５を実行する際の作業用の領域を確保するものである。ＲＯＭ７４は、ＣＰＵ７０での処理に使用される各種設定値等や詳細を後述する制御処理等の制御プログラム７５等が格納される。本実施の形態では、当該制御プログラム７５がＣＰＵ７０により実行されることにより、詳細を後述する制御処理が行われる。ＮＶＭ７６は、電源制御部１８からの電源供給が途絶えた場合にもデータを保持される、電池によりバックアップされたフラッシュメモリ等である。また、Ｉ／Ｆ部７８は、制御部５０に接続される制御装置１６の各構成部との信号の入出力を制御するものである。
【００５０】
なお、本実施の形態では、制御プログラム７５は、予め格納されている構成としているがこれに限らず、外部装置（図示省略）からＲＯＭ７４にインストールされるように構成してもよい。また、インターネット等のネットワークを介して制御部５０にプログラムが伝送され、制御部５０のＲＯＭ７４にインストールされるように構成してもよい。さらにまた、ＤＶＤ−ＲＯＭやフラッシュメモリ、ＵＳＢ等の外部記録媒体からＲＯＭ７４にインストールされるように構成してもよい。
【００５１】
表示部５２は、空気清浄機４０の駆動に関する状態（動作状態等）等をユーザに対して表示する機能を有するものである。また、本実施の形態では、表示部５２は、ユーザからの空気清浄機４０の動作に対する指示等を受付ける機能を有している。なお、本実施の形態では、操作パネル１９を表示部５２として用いている。
【００５２】
ネット通信部５６は、パーソナルコンピュータ８と各種データ（画像データ含む）を通信するための機能を有している。本実施の形態では、制御装置１６（ネット通信部５６）とパーソナルコンピュータ８とは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、及びインターネット等のネットワーク回線により接続されるように構成しているがこれに限らない。なお、本実施の形態では、制御装置１６の節電モード中であっても、ネット通信部５６は、パーソナルコンピュータ８からの指示を受付けられるように構成している。
【００５３】
本実施の形態では、ユーザは、表示部５２に表示された操作画面（ネットワーク操作画面９と略同様のため、図３では図示省略、図５参照）や、パーソナルコンピュータ８のネットワーク操作画面９を用いて、空気清浄機４０の動作に関する指示を行ったり、空気清浄機４０の動作状態を認識したりする。ネットワーク操作画面９の具体的一例を図５に示す。
【００５４】
タイマ部５８は、各種タイマを備えている。本実施の形態では、スリープモードへ移行するか否かの判断に用いられるスリープタイマ５８Ａ、空気清浄機４０の稼働を停止させるか否かの判断に用いられる空気清浄機停止タイマ５８Ｂ、及び空気清浄機４０の状態を取得してネットワーク操作画面９の表示を更新するか否かの判断に用いられるネットワーク操作画面更新タイマ５８Ｃを備えて構成されている。
【００５５】
本実施の形態では、制御装置１６と空気清浄機４０とは、具体的一例としてＵＳＢ回線により接続されており、通信部５４は、空気清浄機４０（空気清浄機４０の通信部６４）とＵＳＢ通信するための機能を有している。なお、制御装置１６と空気清浄機４０との通信はＵＳＢ通信に限らず、ＩＥＥＥ１３９４（Ｆｉｒｅ  Ｗｉｒｅ）やＴｈｕｎｄｅｒＢｏｌｔ等によるものであってもよいし、その他、特に限定されない。
【００５６】
通信部５４は、制御部５０の制御により空気清浄機４０の動作を制御するための制御信号（制御コマンド）を送信すると共に、空気清浄機４０の動作状態に関する情報を取得する。
【００５７】
本実施の形態では、画像処理装置１０がスリープモードの場合は、原稿読取装置１２及び画像形成装置１４への電力の供給（通電）が停止され、原稿読取装置１２及び画像形成装置１４はオフ状態になるが、制御装置１６は、電力は供給（通電）されるが、制御部５０、表示部５２、通信部５４、及びネット通信部５６各部の稼働が停止され、電力の消費を抑えたスリープ状態となる。なお、制御部５０、表示部５２、通信部５４、及びネット通信部５６の稼働の停止は、これらの機能のうち一部のみを停止させてもよいし、いくつか、または全てを停止させてもよい。どの機能を停止させるかは、特に限定されないが、本実施の形態では、詳細を後述する制御処理に応じて、少なくとも通信部５４の稼働が停止（ＯＦＦ）される。
【００５８】
一方、本実施の形態の空気清浄機４０は、フィルタ交換ＬＥＤ４２、制御部６０、通信部６４、及び稼働時間カウンタ６８を備えている。なお、図３では、空気の清浄（濾過）に関する動作を行う機能については図示を省略している。
【００５９】
制御部６０は、空気清浄機４０全体を制御する機能を有している。本実施の形態では、制御部５０は、通信部６４を介して制御装置１６から受付けた制御信号（制御コマンド）に応じて空気の清浄（濾過）に関する動作や、空気清浄機４０自身の電源のオン、オフ（動作停止）に関する制御を行う機能を有している。また、本実施の形態では、制御部６０は、稼働時間カウンタ６８のカウント値に基づいて、空気清浄機４０の状態をフィルタ交換ＬＥＤ４２により報知する機能を有している。本実施の形態では、具体的一例として、稼働時間カウンタ６８のカウント値をフィルタ（上述した各種フィルタ）交換用の予め定められた閾値と比較して、閾値を越えた場合は、フィルタの交換をユーザに対して促すため、フィルタ交換ＬＥＤ４２を点灯させるよう制御する（詳細後述）。なお、制御部６０のハードウエア構成は、制御装置１６の制御部５０のハードウエア構成と略同一のため、ここでは、説明を省略する。
【００６０】
稼働時間カウンタ６８は、空気清浄機４０の稼働時間の累積をカウントする機能を有する、いわゆるカウンタである。本実施の形態では、フィルタの交換を判断するために稼働時間を累積するため、空気清浄機４０に電源が投入された時間ではなく、空気を清浄（濾過）するために稼働した稼働時間を累積カウントするように構成している。そのため、本実施の形態では、空気清浄機４０の電源がオフになっても、稼働時間カウンタ６８がリセットせれることがないように構成している。
【００６１】
フィルタ交換ＬＥＤ４２は、ユーザに対してフィルタ交換を促す場合は、制御部６０により点灯される。なお、本実施の形態では、空気清浄機４０本体に設けたフィルタ交換ＬＥＤ４２の点灯／消灯することによりフィルタ交換時期を示しているがこれに限らず、他の方法によりフィルタ交換時期を示すようにしてもよい。なお、より電力消費を抑えるためには、本実施の形態のように消費電力が少ないＬＥＤを用いることが好ましい。
【００６２】
次に、本実施の形態の画像処理システム１の画像処理装置１０のスリープモードにおける、空気清浄機４０の動作の制御について詳細に説明する。なお、本実施の形態では、空気清浄機４０は、画像処理装置１０がスリープモードであっても、稼働するものであり、画像処理装置１０がスリープモードに移行しても、稼働が停止しない。
【００６３】
まず、具体的例として、スリープモード中に空気清浄機停止タイマ５８Ｂが発火して、空気清浄機４０の稼働を停止させる場合の制御処理について詳細に説明する。図６には、当該制御処理の流れの一例のフローチャートを示す。図６に示した、制御処理は、画像処理装置１０への電源投入時等、通常モード（スリープモードではないモード）においてスタートする。
【００６４】
まず、ステップＳ１００では、画像処理装置１０は、原稿読取装置１２、画像形成装置１４、制御装置１６、及び操作パネル１９がスタンバイ（通電された状態：否スリープモード）状態になっている。また、制御装置１６は、スタンバイであるが、通信部５４はオフ状態になっている。また、空気清浄機４０は、稼働中である。
【００６５】
次のステップＳ１０２では、スリープタイマ５８Ａが発火したか否か判断する。発火していない場合は、否定されてステップＳ１００に戻り、画像処理装置１０及び空気清浄機４０はステップＳ１００の状態を維持する。一方、発火した場合は、肯定されてステップＳ１０４へ進む。
【００６６】
ステップＳ１０４では、スリープモードに移行する。この際、画像処理装置１０は、原稿読取装置１２、画像形成装置１４、及び操作パネル１９に対しては、電圧の供給（通電）が停止され、オフ状態になる。一方、制御装置１６は、通電されているが各機能部が動作していない（通信部５４：オフ）、スリープ状態になる。なお、空気清浄機４０は、画像処理装置１０のスリープモードと関係なく稼働するため、稼働中の状態を維持する。
【００６７】
次のステップＳ１０６では、空気清浄機停止タイマ５８Ｂが発火したか否か判断する。発火していない場合は、否定されてステップＳ１０４に戻り、画像処理装置１０及び空気清浄機４０はステップＳ１０４の状態を維持する。一方、発火した場合は、肯定されてステップＳ１０８へ進む。
【００６８】
ステップＳ１０８では、空気清浄機４０の稼働を制御するため、制御装置１６をスリープモードから復帰させる。この際、画像処理装置１０は、原稿読取装置１２及び画像形成装置１４に対しては、スリープモードを維持し、オフ状態が維持される。一方、制御装置１６は、スリープモードから復帰し、スタンバイ状態になり、通信部５４がオン状態になる。また、本実施の形態では、空気清浄機４０の動作（稼働）を制御する場合等、空気清浄機４０と通信を行う場合は、エラー等が生じた場合にユーザに報知するようにしているため、ユーザに対して報知を行えるように、操作パネル１９（表示部５２）も通信部５４がオン状態になるのに伴ってオン状態にさせている。なおこの際、本実施の形態では、消費電力を抑制するために、操作パネル１９のバックライトをオフ状態にする。
【００６９】
このようにして、制御装置１６がスタンバイ状態になり通信部５４がオン状態になったため、次のステップＳ１１０では、通信部５４から空気清浄機４０に対して停止するよう制御信号を出力して指示する。
【００７０】
当該制御信号を空気清浄機４０の通信部６４が受付けたことにより、次のステップＳ１１２では、画像処理装置１０は、原稿読取装置１２、画像形成装置１４は、オフ状態を維持する。一方、制御装置１６は、スタンバイ状態を維持するが、通信部５４がオフ状態となる。また、通信部５４がオフ状態になったことに伴い、操作パネル１９もオフ状態になる。また、空気清浄機４０では、稼働停止状態になる。
【００７１】
次のステップＳ１１４では、制御装置１６がスリープモードから復帰している（スタンバイ状態）ため、制御装置１６をスリープモードに移行させるためにスリープタイマ５８Ａを登録する。
【００７２】
次のステップＳ１１６では、スリープタイマ５８Ａが発火したか否か判断する。発火していない場合は、否定されて待機状態になる。この際、画像処理装置１０及び空気清浄機４０はステップＳ１１２の状態を維持する。一方、発火した場合は、肯定されてステップＳ１１８へ進む。
【００７３】
ステップＳ１１８では、制御装置１６をスリープモードに移行させた後、本処理を終了する。この際、画像処理装置１０は、原稿読取装置１２、画像形成装置１４、及び操作パネル１９は、オフ状態を維持する。一方、制御装置１６は、通電されているが各機能部が動作していない（通信部５４：オフ）、スリープ状態になる。また、空気清浄機４０は、稼働停止状態を維持する。
【００７４】
次に、具体的例として、スリープモード中にパーソナルコンピュータ８のネットワーク操作画面９から空気清浄機４０の動作を制御する場合の制御処理について詳細に説明する。図７及び図８には、当該制御処理の流れの一例のフローチャートを示す。図７及び図８に示した、制御処理は、画像処理装置１０への電源投入時等、通常モード（スリープモードではないモード）においてスタートする。なお、図６に示した制御処理と略同一の処理を含むため、略同一の処理についてはその旨を記し、詳細な説明を省略する。
【００７５】
ステップＳ２００、ステップＳ２０２、及びステップＳ２０４は、上述の図６に示した制御処理のステップＳ１００、ステップＳ１０２、及びステップＳ１０４にそれぞれ対応している。
【００７６】
まず、ステップＳ２００では、画像処理装置１０は、原稿読取装置１２、画像形成装置１４、制御装置１６、及び操作パネル１９がスタンバイ状態に、制御装置１６は、スタンバイであるが、通信部５４はオフ状態になっている。空気清浄機４０は、稼働中である。次のステップＳ２０２では、スリープタイマ５８Ａが発火したか否か判断する。発火していない場合は、ステップＳ１００に戻り、発火した場合は、ステップＳ２０４へ進む。ステップＳ２０４では、スリープモードに移行する。画像処理装置１０は、原稿読取装置１２、画像形成装置１４、及び操作パネル１９は、オフ状態に、制御装置１６は、スリープ状態（通信部５４：オフ）になる。空気清浄機４０は、稼働中の状態を維持する。
【００７７】
次のステップＳ２０６では、パーソナルコンピュータ８においてネットワーク操作画面９が表示されたか否か判断する。表示されていない場合は、否定されてステップＳ２０４に戻り、画像処理装置１０及び空気清浄機４０はステップＳ２０４の状態を維持する。一方、表示された場合は、肯定されてステップＳ２０８へ進む。
【００７８】
ステップＳ２０８は、上述の図６に示した制御処理のステップＳ１０８に対応しており、ステップＳ２０８では、ネットワーク操作画面９に空気清浄機４０の状態を表示させるために、制御装置１６をスリープモードから復帰させる。画像処理装置１０は、原稿読取装置１２及び画像形成装置１４は、オフ状態が維持される。制御装置１６は、スリープモードから復帰してスタンバイ状態になり、通信部５４がオン状態になり、操作パネル１９（表示部５２）はバックライトをオフにした状態でオン状態になる。
【００７９】
次のステップＳ２１０では、制御装置１６がスリープモードから復帰している（スタンバイ状態）ため、制御装置１６をスリープモードに移行させるためにスリープタイマ５８Ａを登録する。
【００８０】
次のステップＳ２１２では、ネットワーク操作画面更新タイマ５８Ｃを登録する。なお、本実施の形態では、このようにネットワーク操作画面更新タイマ５８Ｃを登録した後に、パーソナルコンピュータ８でネットワーク操作画面９が閉じられた場合は、図９に具体的例のフローチャートを示した制御処理が実行される。当該制御処理のステップＳ３００でネットワーク操作画面更新タイマ５８Ｃが登録された後、ステップＳ３０２でパーソナルコンピュータ８のネットワーク操作画面９が閉じられたことを検知すると、次のステップＳ３０４では。空気清浄機停止タイマ５８Ｂを解除するよう指示して本処理を終了する。このように空気清浄機停止タイマ５８Ｂが解除されることにより、画像処理装置１０では、図７及び図８に示した制御処理が終了する。
【００８１】
空気清浄機停止タイマ５８Ｂが解除されない場合は、次のステップＳ２１４では、ネットワーク操作画面更新タイマ５８Ｃが発火したか否か判断する。発火した場合は、肯定されてステップＳ２１６へ進み、空気清浄機４０の動作状態を示す情報を取得し、取得した情報をパーソナルコンピュータ８に出力し、ネットワーク操作画面９を更新させた後、ステップＳ２１２に戻り、ステップＳ２１２に戻る。これにより、パーソナルコンピュータ８のネットワーク操作画面９には、現在の空気清浄機４０の動作状態に関する情報が表示される。
【００８２】
一方、発火していない場合は、否定されてステップＳ２１８へ進む。ステップＳ２１８では、スリープタイマ５８Ａが発火したか否か判断する。発火していない場合は、否定されてステップＳ２１４に戻り、一方、発火した場合は、ステップＳ２２０へ進む。ステップＳ２２０では、制御装置１６がスリープモードに移行する。画像処理装置１０は、原稿読取装置１２、画像形成装置１４、及び操作パネル１９は、オフ状態に、制御装置１６は、スリープ状態（通信部５４：オフ）になる。空気清浄機４０は、稼働中の状態を維持する。
【００８３】
本実施の形態では、制御装置１６がスリープ状態の場合は、制御装置１６から空気清浄機４０の動作状態を取得しにいかないように構成しているため、次のステップＳ２２２では、ネットワーク操作画面更新タイマ５８Ｃを解除する。
【００８４】
この後、ステップＳ２２４で、パーソナルコンピュータ８のネットワーク操作画面９から空気清浄機４０の停止指示を受付けると、次のステップＳ２２６では、空気清浄機４０の動作（稼働）を制御するために、制御装置１６のスリープモードを解除するよう指示する。当該指示により、次のステップＳ２２８では、画像処理装置１０の原稿読取装置１２及び画像形成装置１４は、オフ状態が維持される。制御装置１６は、スリープモードから復帰してスタンバイ状態になり、通信部５４がオン状態になり、操作パネル１９（表示部５２）はバックライトをオフにした状態でオン状態になる。次のステップＳ２３０では、制御装置１６がスリープモードから復帰している（スタンバイ状態）ため、制御装置１６をスリープモードに移行させるためにスリープタイマ５８Ａを登録する。
【００８５】
次のステップＳ２３２では、空気清浄機４０の稼働の停止を指示するために通信部５４から制御信号を空気清浄機４０に出力する。当該制御信号が空気清浄機４０に出力されたことにより、次のステップＳ２３４では、画像処理装置１０の原稿読取装置１２、画像形成装置１４、制御装置１６、及び操作パネル１９は、ステップＳ２２８の状態を維持するが、空気清浄機４０は、稼働停止状態になる。
【００８６】
次のステップＳ２３６からステップＳ２４２の処理は、上述のステップＳ２１２からステップＳ２１８の処理と略同様であるためここでは、説明を省略する。
【００８７】
スリープタイマ５８Ａが発火した後のステップＳ２４４では、制御装置１６がスリープモードに移行する。画像処理装置１０は、原稿読取装置１２、画像形成装置１４、及び操作パネル１９は、オフ状態に、制御装置１６は、スリープ状態（通信部５４：オフ）になる。空気清浄機４０は、停止状態を維持する。次のステップＳ２４６では、空気清浄機４０の稼働が停止されたため、ネットワーク操作画面更新タイマ５８Ｃを解除した後、本処理を終了する。
【００８８】
さらに、具体的例として、本実施の形態の画像処理システム１において、空気清浄機４０が稼働時間カウンタ６８によりカウントした累積カウント値に基づいて、空気清浄機４０の各種フィルタの交換をユーザに対して促す場合の制御処理について詳細に説明する。図１０〜図１２には、当該制御処理の流れの一例のフローチャートを示す。なお、図１０及び図１２の制御処理は、空気清浄機４０の制御部６０で実行される処理であり、図１１の制御処理は、画像処理装置１０の制御装置１６の制御部５０で実行される処理である。
【００８９】
まず、図１０のステップＳ４００では、空気清浄機４０の電源（主電源）がオン状態になる。なおこの際、空気を清浄（濾過）する機能等はまだ稼働停止状態ある。
【００９０】
次のステップＳ４０２で画像処理装置１０（制御装置１６）から初期化開始命令を受け付けると、次のステップ４０４では、予め定められた初期化処理を実行し、初期化処理が終了すると次のステップＳ４０６で、初期化完了通気を画像処理装置１０（制御装置１６）に出力する。なおこの際、空気を清浄（濾過）する機能等はまだ稼働停止状態ある。
【００９１】
次のステップＳ４０８では、制御装置１６から稼働開始命令である制御信号を受信したか否か判断する。受信していない場合は、否定されて待機状態になり、受信した場合は、肯定されて、ステップＳ４１０へ進む。
【００９２】
ステップＳ４１０では、空気を清浄（濾過）する機能の稼働を開始させる。本実施の形態では、具体的一例として、稼働開始時は、ファンの風量を弱にしているが、これに限るものではない。また、稼働時間カウンタ６８に、稼働時間（累積稼働時間）のカウントを開始させる。
【００９３】
次のステップＳ４１２では、予め定められた閾値として、フィルタ交換時間が、累積稼働時間以上（フィルタ交換時間≧累積稼働時間）であるか否か判断する。累積稼働時間がフィルタ交換時間以下の場合は、フィルタの交換時期ではないため、肯定されてステップＳ４１６へ進む。一方、累積稼働時間がフィルタ交換時間を越える場合は、否定されてステップＳ４１４へ進み、フィルタの交換をユーザに促すために、ステップＳ４１４では、フィルタ交換フラグをＴＲＵＥ（交換しなくてはいけない旨を示す）とし、さらにフィルタ交換ＬＥＤ４２を点灯させた後、ステップＳ４１６へ進む。
【００９４】
次のステップＳ４１６では、制御装置１６から稼働停止始命令である制御信号を受信したか否か判断する。受信していない場合は、否定されてステップＳ４１２へ戻り、ステップＳ４１２からステップＳ４１６の処理を繰り返す。一方、受信した場合は、肯定されてステップＳ４１８へ進む。ステップＳ４１８では、空気清浄機４０の稼働を停止させると共に、稼働時間カウンタ６８での稼働時間（累積稼働時間）のカウントを停止させた他と、本処理を終了する。
【００９５】
空気清浄機４０のフィルタの交換に対して、画像処理装置１０では、図１１に一例を示した制御処理が実行される。
【００９６】
ステップＳ５００では、フィルタ交換フラグを確認するタイミングか否か判断する。例えば、制御装置１６のタイマ部５８内にタイマ（図示省略）を設けておき、当該タイマが発火したか否かにより判断すればよい。確認タイミングではない場合は、否定されて待機状態になる。一方、確認タイミングである場合は、肯定されてステップＳ５０２へ進む。ステップＳ５０２では、フィルタ交換フラグがＴＲＵＥであるか否か判断する。フィルタ交換フラグがＴＲＵＥではない場合は、未だフィルタの交換時期ではないため、否定されてステップＳ５００に戻る。一方、フィルタ交換フラグがＴＲＵＥである場合は、肯定されて、ステップＳ５０４へ進み、パーソナルコンピュータ８のネットワーク操作画面９または、表示部５２（操作パネル１９）の少なくとも一方に、フィルタの交換を指示する旨の表示（報知）を行った後、本処理を終了する。
【００９７】
本実施の形態では、このようにして、空気清浄機４０の累積稼働時間がフィルタ交換時間を超えた場合は、空気清浄機４０のフィルタ交換ＬＥＤ４２、及びパーソナルコンピュータ８のネットワーク操作画面９、または表示部５２（操作パネル１９）により、ユーザに対してフィルタの交換時期であることを認識させられる。
【００９８】
これにより、ユーザは、空気清浄機４０のフィルタを交換する。フィルタを交換する際の空気清浄機４０における制御処理の流れの一例を図１２に示す。
【００９９】
ステップＳ６００では、フィルタ交換完了通知が有ったか否か判断する。本実施の形態では、フィルタの交換が完了すると、ユーザはその旨を表示部５２（操作パネル１９）から指示するように構成しており、フィルタの交換完了が指示されると、制御装置１６は、空気清浄機４０に対してフィルタ交換完了通知である制御信号を出力する。当該制御信号を受付けていない場合は、否定されて待機状態になる。一方、当該制御信号を受付けた場合は、肯定されてステップＳ６０２へ進む。ステップＳ６０２では、フィルタ交換フラグをＴＲＵＥからＦＡＬＳＥに切り替えると共に、稼働時間カウンタ６８の累積稼働時間（カウント値）をリセットし、さらにフィルタ交換ＬＥＤ４２を消灯した後、本処理を終了する。
【０１００】
以上説明したように、本実施の形態の画像処理システム１の画像処理装置１０では、スリープモード中は、空気清浄機４０からの通信が不能になるが、空気清浄機４０の動作を制御する場合は、原稿読取装置１２、画像形成装置１４はスリープモードのままオフ状態とし、制御装置１６をスリープモードから復帰させて通信部５４をオン状態にし、空気清浄機４０に対して動作（稼働）を制御するための制御信号を出力する。また、パーソナルコンピュータ８のネットワーク操作画面９または、操作パネル１９（表示部５２）において操作画面（ネットワーク操作画面９と同様）が表示されている場合は、原稿読取装置１２、画像形成装置１４はスリープモードのままオフ状態とし、制御装置１６をスリープモードから復帰させて通信部５４をオン状態にし、ネットワーク操作画面更新タイマ５８Ｃが発火すると、空気清浄機４０の状態を取得し、ネットワーク操作画面９または、操作パネル１９の操作画面に表示させる。
【０１０１】
このように本実施の形態の画像処理装置１０では、スリープモードの最中に、他の装置（原稿読取装置１２及び画像形成装置１４等）はスリープモードを解除せずに、一部の装置（制御装置１６）のみスリープモードを解除して、制御装置１６を復帰させるため、スリープモード中であっても、空気清浄機４０の動作（稼働）を制御できると共に、消費電力を抑制することができる。
【０１０２】
また、本実施の形態では、空気清浄機４０が稼働時間カウンタ６８を備えており、累積稼働時間をカウントし、閾値（フィルタ交換時間）を越えたか否かを判断し、越えた場合は、フィルタの交換を促すように構成している。
【０１０３】
画像処理装置１０のスリープモード中は、空気清浄機４０からの通信が不能になるため、画像処理装置１０のスリープモード中に空気清浄機４０が稼働していても、画像処理装置１０側では、稼働時間を正確に把握することが困難である。これに対して、本実施の形態では、空気清浄機４０自身が累積稼働時間をカウントするため、空気清浄機４０の稼働時間を正確に把握することができる。
【０１０４】
従って、空気清浄機４０らの通信が不能なスリープモード中に、空気清浄機４０の動作（稼働）の制御を行う場合の消費電力を抑制することができる。
【０１０５】
なお、本実施の形態では、スリープモード中に、空気清浄機４０の稼働を停止させる場合に制御装置１６をスリープモードから復帰させているがこれに限らず、制御装置１６はスリープモード（スリープ状態）のままとし、通信部５４のみをスリープモードから復帰させてオン状態にさせてもよい。
【０１０６】
また、本実施の形態では、上述したように通信部５４がオン状態の場合は、操作パネル１９（表示部５２）もオン状態にしているが、これに限らず、例えば、操作パネル１９をオフ状態にしておいてもよい。操作パネル１９をオフ状態にすることにより、より消費電力が抑制される。
【０１０７】
また、本実施の形態では、パーソナルコンピュータ８のネットワーク操作画面９から空気清浄機４０の稼働停止が指示される場合について説明したがこれに限らず、操作パネル１９（表示部５２）から指示される場合であっても、同様である。
【０１０８】
また、本実施の形態では、スリープモード中に、空気清浄機４０の稼働を停止させる場合について詳細に説明したがこれに限らず、空気清浄機４０の稼働を開始させる場合や、その他の制御や設定等を行う場合であっても同様にすればよい。なお、ネットワーク操作画面９や操作パネル１９から空気清浄機４０の稼働を停止させるための空気清浄機停止タイマ５８Ｂの設定を受付けた場合や、稼働停止時刻の設定を受付けた場合等については、設定を受付けた後、すぐに空気清浄機４０と通信を行わなくてもよいため、スリープモードから復帰せずに、後にスリープモードから復帰したさいに、受付けた設定を登録するようにすることにより、消費電力がより抑制される。
【０１０９】
また、本実施の形態では、空気清浄機４０の累積稼働時間（稼働時間カウント値）に基づいて、フィルタの交換を促す場合について説明したがこれに限らず、その他の消耗品の交換を促すようにしてもよい。また、累積稼働時間をカウントするのではなく、例えば、ファンの回転数等をカウントするようにしてもよい。
【０１１０】
また、本実施の形態では、空気清浄機４０のフィルタの交換に関して、画像処理装置１０は、空気清浄機４０のフィルタ交換フラグを参照しているがこれに限らず、空気清浄機４０の稼働時間カウンタ６８から累積稼働時間を取得し、画像処理装置１０で閾値（フィルタ交換時間）を越えたか否か判断するように構成してもよい。
【０１１１】
また、本実施の形態の画像処理装置１０は、原稿読み取り機能（原稿読取装置１２）及び画像形成機能（画像形成装置１４）を備えるように構成しているがこれに限らず、例えば、ファクシミリ機能等、その他の機能をさらに備えるようにしてもよい。また、画像処理装置１０に限らず、単一の機能を有する装置（例えば、画像形成装置１４）の制御装置１６に適用してもよい。
【０１１２】
また、本実施の形態では、本発明のデバイスとして空気清浄機４０に適用した場合について説明したがこれに限らない。本発明の画像処理装置１０（制御装置１６）により動作が制御されると共に、画像処理装置１０のスリープモード中であっても稼働するデバイスであれば特に限定されない。
【０１１３】
なお、本実施の形態で説明した、画像処理装置１０、制御装置１６、及び空気清浄機４０等の構成、動作、制御処理等は一例であり、本発明の主旨を逸脱しない範囲内において状況に応じて変更されることは言うまでもない。
【符号の説明】
【０１１４】
１  画像処理システム
９  ネットワーク操作画面
１０  複合機
１６  制御装置
１９  操作パネル
４０  空気清浄機
４２  フィルタ交換ＬＥＤ
５０  制御部
５２  表示部
５４  通信部
５６  ネット通信部
５８  タイマ部、５８Ａ  スリープタイマ５８Ａ、５８Ｂ空気清浄機停止タイマ５８Ｂ、５８Ｃ  ネットワーク操作画面更新タイマ５８Ｃ
６０  制御部
６４  通信部
６８  稼働時間カウンタ
【図１】
0005929216.tif 000002
【図２】
0005929216.tif 000003
【図３】
0005929216.tif 000004
【図４】
0005929216.tif 000005
【図５】
0005929216.tif 000006
【図６】
0005929216.tif 000007
【図７】
0005929216.tif 000008
【図８】
0005929216.tif 000009
【図９】
0005929216.tif 000010
【図１０】
0005929216.tif 000011
【図１１】
0005929216.tif 000012
【図１２】
0005929216.tif 000013